(57)【要約】【課題】画像データに基づく客観的な情報を利用者に向けて提供することで、山野における安全性や山野体験を向上させることを解決すべき課題とする。【解決手段】画像中に含まれる対象について山タグを付与した画像データを管理するための管理システムであって、少なくとも、山及び、要所の１又は複数を対象とした山タグを格納する手段と、少なくとも、撮影位置を示す位置情報、撮影方向を示す方向情報及び、前記山タグを対応付けて画像データを格納する手段と、山タグの指定を受け付ける手段と、特定の対象に関する前記山タグが対応付けられた画像データを検索処理する手段と、を備える。【選択図】図１
2020144705.tif 000002
【特許請求の範囲】
【請求項１】
画像中に含まれる対象について山タグを付与した画像データを管理するための管理システムであって、
少なくとも、山及び、要所の１又は複数を対象とした山タグを格納する手段と、
少なくとも、撮影位置を示す位置情報、方向を示す方向情報及び、前記山タグを対応付けて画像データを格納する手段と、
山タグの指定を受け付ける手段と、
特定の対象に関する前記山タグが対応付けられた画像データを検索処理する手段と、を備える管理システム。
【請求項２】
地図及び、前記地図上に配置された前記対象についてのオブジェクトを表示処理し、表示処理結果を送信する手段と、
前記地図を介して、前記オブジェクトの指定を受け付ける手段と、を備え、
前記表示処理は、指定された前記オブジェクトに対応する対象の山タグに基づいて、決定した画像データを表示するための処理を更に含む請求項１に記載の管理システム。
【請求項３】
少なくとも、山道は、位置情報を有する複数のポイントによって定義され、
前記画像データの位置情報及び、前記ポイントの位置情報に基づいて、前記山道に含まれたポイントに対して画像データが対応付けられ、
前記表示処理は、決定した画像データが対応付けられた前記ポイントのオブジェクトを、その他のポイントと識別可能に表示するための処理を含む請求項２に記載の管理システム。
【請求項４】
前記位置情報、前記方向情報及び、前記山タグが対応付けられた画像データの投稿並びに、少なくとも山タグが付与されていない画像データの投稿を受け付ける手段と、
少なくとも山タグが付与されていない前記画像データに対して、少なくとも付与する山タグを指定する手段と、を備える請求項１〜３の何れかに記載の管理システム。
【請求項５】
登山経路の指定を受け付ける手段と、
指定された前記登山経路に対応する前記撮影位置を有した画像データを検索処理する手段と、
検索された前記撮影位置を有した画像データを表示処理し、表示処理結果を送信する手段と、を備える請求項１〜４の何れかに記載の管理システム。
【請求項６】
前記山タグについて、対象の名称及び、対象の所在を示す位置情報を格納する手段と、
前記画像データを撮影するための利用者端末装置において取得した、少なくとも、前記位置情報及び、前記方向情報を受け取り、対応する１又は複数の山タグについての情報を返送する手段と、を備える請求項１〜５の何れかに記載の管理システム。
【請求項７】
画像中に含まれる対象について山タグを付与した画像データを管理するための管理プログラムであって、
コンピュータを、少なくとも、山及び、要所の１又は複数を対象とした山タグを格納する手段と、
少なくとも、撮影位置を示す位置情報、方向を示す方向情報及び、前記山タグを対応付けて画像データを格納する手段と、
山タグの指定を受け付ける手段と、
特定の対象に関する前記山タグが対応付けられた画像データを検索処理する手段と、として機能させる管理プログラム。
【請求項８】
画像中に含まれる対象について山タグを付与した画像データを管理するための管理方法であって、
少なくとも、山及び、要所の１又は複数を対象とした山タグを格納するステップと、
少なくとも、撮影位置を示す位置情報、方向を示す方向情報及び、前記山タグを対応付けて画像データを格納するステップと、
山タグの指定を受け付けるステップと、
特定の対象に関する前記山タグが対応付けられた画像データを検索処理するステップと、をコンピュータの処理部が実行する管理方法。
【発明の詳細な説明】
【技術分野】
【０００１】
本発明は、山野において撮影された画像データの管理を行う管理システム、管理プログラム及び、管理方法に関するものである。
【背景技術】
【０００２】
従来より、山岳地域、原野、湿原などの山野において、登山やハイキング、トレッキング等のスポーツ、あるいはリクリエーションが行われている。近年では、山野についての知識が豊富なアルピニストは減少傾向にあり、より気軽に、運動やリクリエーション目的として山野へ赴くツーリストの割合が増加している。
【０００３】
山道は、大雨、台風、雪崩、地震などの自然現象により通行できない場合や、迂回路が形成される場合がある。経験の浅いツーリストは、山野についての知識が乏しかったり、インターネット等で聞きかじった主観的な情報に頼ることで、山野において危険に巻き込まれる可能性がある。
【０００４】
そのため、山野へ赴くにあたって、山道の最新の状況をあらかじめ把握することが重要である。特に、山野へ実際に赴く前の計画段階に、このような山道の近況が把握できれば、計画を変更する、あるいは危険対策の装備を持参する等の対策が可能となる。また、赴く山野の決定や登山経路の選定に際して、こうした情報を提供することで、登山経路の様子や眺望等を伝え、山野体験を向上することにもつながる。
【０００５】
特許文献１に記載のように、山岳用ナビゲーションシステムにおいて、複数のクライアントの位置情報と当該位置情報を取得した時刻情報に基づいて、ある位置から他の位置まで移動するのに要する所要時間を算出し、算出した所要時間をクライントに送信して、クライアントの表示画面に表示させる技術が知られている。ここで、登山経路中の各地点における複数の画像データを表示し、登山者に対して提供する構成についても例示されている。これにより、登山経路中の一部地点の状況を、画像データを参考に、把握することが可能である。
【先行技術文献】
【特許文献】
【０００６】
【特許文献１】実用新案登録第３１７５３６１号公報
【発明の概要】
【発明が解決しようとする課題】
【０００７】
しかしながら、従来技術においては、山道において撮影されたごく一部の画像データしか、利用者に対しては提供されていない。また、画像データが、山道におけるどの位置で、どの方向に向かって、何を撮影したものなのか、利用者自らが説明文並びに画像データに描画された対象を分析して判断する他ない。更に、画像データの撮影時期や季節が不明な場合がある。そのため、例えば、植物の成長や積雪などによって、撮影された画像データに描画された風景、対象の様相が、現実のものとは異なる可能性がある。
【０００８】
本発明は、上記のような実情に鑑みてなされたものであり、画像データに基づく客観的な情報を利用者に向けて提供することで、山野における安全性や山野体験を向上させることを解決すべき課題とする。
【課題を解決するための手段】
【０００９】
上記課題を解決するために、本発明は、画像中に含まれる対象について山タグを付与した画像データを管理するための管理システムであって、
少なくとも、山及び、要所の１又は複数を対象とした山タグを格納する手段と、
少なくとも、撮影位置を示す位置情報、方向を示す方向情報及び、前記山タグを対応付けて画像データを格納する手段と、
山タグの指定を受け付ける手段と、
特定の対象に関する前記山タグが対応付けられた画像データを検索処理する手段と、を備える。
【００１０】
また、本発明は、画像中に含まれる対象について山タグを付与した画像データを管理するための管理プログラムであって、
コンピュータを、少なくとも、山及び、要所の１又は複数を対象とした山タグを格納する手段と、
少なくとも、撮影位置を示す位置情報、方向を示す方向情報及び、前記山タグを対応付けて画像データを格納する手段と、
山タグの指定を受け付ける手段と、
特定の対象に関する前記山タグが対応付けられた画像データを検索処理する手段と、として機能させる。
【００１１】
また、本発明は、画像中に含まれる対象について山タグを付与した画像データを管理するための管理方法であって、
少なくとも、山及び、要所の１又は複数を対象とした山タグを格納するステップと、
少なくとも、撮影位置を示す位置情報、方向を示す方向情報及び、前記山タグを対応付けて画像データを格納するステップと、
山タグの指定を受け付けるステップと、
特定の対象に関する前記山タグが対応付けられた画像データを検索処理するステップと、をコンピュータの処理部が実行する。
【００１２】
本発明の好ましい形態では、地図及び、前記地図上に配置された前記対象についてのオブジェクトを表示処理し、表示処理結果を送信する手段と、
前記地図を介して、前記オブジェクトの指定を受け付ける手段と、を備え、
前記表示処理は、指定された前記オブジェクトに対応する対象の山タグに基づいて、決定した画像データを表示するための処理を更に含む。
【００１３】
このような構成とすることで、画像データに対して、画像データ中に描画された対象の情報を対応付けて格納することができる。そして、格納された画像データを、山タグを用いて検索処理し、利用者に対して提供することができる。例えば、富士山のような円錐形の山であれば、素人目にも写真に描画された対象を判別することは容易だが、そうでない山や連峰などは、山野に精通していなければ写真に描画された対象の判別が難しい。特定の山（対象）に対して、色々な方向から撮影した画像データを、山タグによって管理することで、対象の判別が極めて容易となるとともに、多様な場所から撮影された対象について撮影された画像データを提供することができる。
【００１４】
本発明の好ましい形態では、少なくとも、山道は、位置情報を有した複数のポイントによって定義され、
前記画像データの位置情報及び、前記ポイントの位置情報に基づいて、前記山道に含まれたポイントに対して画像データが対応付けられ、
前記表示処理は、決定した画像データが対応付けられた前記ポイントのオブジェクトを、その他のポイントと識別可能に表示するための処理を含む。
【００１５】
このような構成とすることで、山道における特定の位置と、山タグが対応付けられた画像データの撮影位置と、を対応付けて表示することができ、画像データについて、描画された対象と、その撮影場所と、についての情報を利用者に提供することができる。
【００１６】
本発明の好ましい形態では、前記位置情報、前記方向情報及び、前記山タグが対応付けられた画像データの投稿並びに、少なくとも山タグが付与されていない画像データの投稿を受け付ける手段と、
少なくとも山タグが付与されていない前記画像データに対して、少なくとも付与する山タグを指定する手段と、を備える。
【００１７】
このような構成とすることで、画像データを投稿することができる。また、例えば、山野での通信品質が悪く、山タグの取得や、画像のアップロードが困難な場合、山タグ等を取得できないデジタルカメラなどによって撮影した高品質な画像データを投稿したい場合等に、投稿した画像データに対して、後から山タグや位置情報など対応付けることができる。
【００１８】
本発明の好ましい形態では、登山経路の指定を受け付ける手段と、
指定された前記登山経路に対応する前記撮影位置を有した画像データを検索処理する手段と、
検索された前記撮影位置を有した画像データを表示処理し、表示処理結果を送信する手段と、を備える。
【００１９】
このような構成とすることで、登山経路に対応した画像データを検索処理することができる。例えば、利用者が、登山経路の選定を行っている場合に、登山経路中において見ることができる景色についての情報を提供でき、事前の周囲環境の把握や、山野体験の向上に役立てることができる。
【００２０】
本発明の好ましい形態では、前記山タグについて、対象の名称及び、対象の所在を示す位置情報を格納する手段と、
前記画像データを撮影するための利用者の端末装置において取得した、少なくとも、前記位置情報及び、前記方向情報を受け取り、対応する１又は複数の山タグについての情報を返送する手段と、を備える。
【００２１】
このような構成とすることで、端末装置に対して山タグを返送して提供することができ、例えば、カメラ映像に山タグ画像を重ねて表示した仮想現実表示を実現することができる。
【発明の効果】
【００２２】
本発明によれば、画像データに基づく客観的な情報を利用者に向けて提供することで、山野における安全性や山野体験を向上させることができる。
【図面の簡単な説明】
【００２３】
【図１】本発明の実施形態に係る管理システムの概要を示す図である。
【図２】本発明の実施形態に係る端末装置のハードウェア構成図である。
【図３】本発明の実施形態に係る管理サーバのハードウェア構成図である。
【図４】本発明の実施形態に係るデータベースへの山タグデータの格納方法の一例を示す図である。
【図５】本発明の実施形態に係る端末装置において山タグを表示した場合の画面表示例である。
【図６】本発明の実施形態に係る山タグを対応付けた画像データの投稿処理フローチャートである。
【図７】本発明の実施形態に係るデータベースへの画像データの格納方法の一例を示す図である。
【図８】本発明の実施形態に係る山野活動支援画面の画面表示例である。
【図９】本発明の実施形態に係る山野活動支援画面の画面表示例である。
【図１０】本発明の実施形態に係る山野活動支援画面の画面表示例である。
【発明を実施するための形態】
【００２４】
以下、図面を用いて、本発明の実施形態に係る管理システムについて説明する。なお、以下に示す実施形態は本発明の一例であり、本発明を以下の実施形態に限定するものではなく、様々な構成を採用することもできる。
【００２５】
例えば、本実施形態では管理システムの構成、動作などについて説明するが、同様の構成の方法、装置、コンピュータプログラム、記録媒体なども、同様の作用効果を奏することができる。また、プログラムは、記録媒体に記憶させてもよい。この記録媒体を用いれば、例えばコンピュータに前記プログラムをインストールすることができる。ここで、前記プログラムを記憶した記録媒体は、例えばＣＤ−ＲＯＭ等の非一過性の記録媒体であっても良い。
【００２６】
なお、本発明においては、地図並びに画像データ表示する機能に加え、登山経路の表示、登山経路を含む登山計画の登録・提出を行うための管理システムについて例示する。本発明は、登山に限らず、ハイキングやトレッキング、クライミング、アウトドアスポーツ、キャンプなど、山野での移動を伴うアクティビティ全般に対して適用可能である。
【００２７】
図１は、本発明の実施形態に係る管理システムの概要を示す図である。管理システム１は、管理サーバ２、１又は複数の端末装置３（クライアント）、通信ネットワーク４及び、データベースＤＢを備えている。管理サーバ２は、端末装置３と通信ネットワーク４を介して連携する。
【００２８】
通信ネットワーク４は、インターネットなどのＩＰ（Internet Protocol）網などとから構成される。なお、以下の説明では、不明確にならない限り通信ネットワーク４の介在を省略する。
【００２９】
１又は複数の端末装置３は、登山前、登山中及び、登山後の1又は複数の時点において、登山を行う利用者に利用される端末装置である。ここで、登山前の利用としては、自身又は他の利用者等によって投稿された山道に関連した画像データの閲覧を含む。登山中の利用としては、拡張現実表示によるカメラ映像中に含まれた対象の確認及び、登山中に撮影した画像データの投稿を含む。登山後の利用としては、登山中に撮影した画像データの端末装置３からの投稿を含む。
【００３０】
端末装置３は、山野活動支援プログラムを記憶した端末である。端末装置３は、データ通信機能を有する構成であれば、コンピュータ端末（パーソナルコンピュータ、タブレット端末及びスマートフォン端末を含む）の少なくとも１つを含む単独構成または複合構成をそれぞれ採り得る。好ましくは、更に、画像データを生成するための撮像部を備えた構成が好ましい。端末装置３は、通信ネットワーク４を介してデータ通信を行うためのＩＰアドレスが割り当てられている。
【００３１】
更に詳述すると管理システム１における端末装置３は、図２に例示するように、ハードウェア及び機能の構成要素を含んでいる。図２は、端末装置３のハードウェア構成図である。
【００３２】
つまり、各端末装置３は、ハードウェア構成要素として、演算装置（ＣＰＵ（Central Processing Unit））１１と、作業用メモリとしての主記憶装置（ＲＡＭ（Random Access Memory））１２とを備える。また、各端末装置３は、ＯＳ（Operating System）、アプリケーションプログラム、及び各種情報（データを含む）を書換え可能に格納するＨＤＤやＳＳＤ、フラッシュメモリ等の補助記憶装置１３と、通信制御部１４と、ＮＩＣ（Network Interface Card）などの通信インタフェース（ＩＦ）部１５と、表示制御部１６と、表示部１７と、情報入力・指定部１８と、センサ部１９などとを、更に備える。センサ部１９は、好ましくは、画像データを生成するためのイメージセンサ、位置情報を取得するためのＧＰＳ（Global Positioning System）アンテナ、端末装置３（イメージセンサ）の傾きを測定するためのジャイロセンサ及び、端末装置３（イメージセンサ）の向いた方位を測定するための地磁気センサを備える。
【００３３】
端末装置３は、後に詳述する機能構成要素として、山タグ格納手段１０１、拡張現実表示手段１０２、投稿手段１０３及び、山タグデータベースＭＤＢを備える。
【００３４】
端末装置３において、後に詳述する機能を論理的に実現するには、補助記憶装置１３に、山野活動支援プログラムや、端末制御プログラムなどをアプリケーションプログラムとしてインストールしておく。そして、各端末装置３においては、電源投入またはユーザによる指示を契機に、演算装置（ＣＰＵ）１１がアプリケーションプログラムを主記憶装置（ＲＡＭ）１２に展開して実行する。
【００３５】
ここで、山野活動支援プログラムに代えて、又は加えて、補助記憶装置１３にウェブブラウザプログラムをインストールしておき、ウェブブラウザ及び通信ネットワーク４を介して、山野活動支援のためのウェブサイトにアクセスすると共に、ウェブブラウザを介して、後述の山野活動支援画面の表示を含む山野活動支援のために提供される機能の一部又は全部を利用する構成としてもかまわない。
【００３６】
図３は、管理サーバ２のハードウェア構成図である。管理サーバ２は、データ通信機能を有し、図３に例示するように、ハードウェア及び機能の構成要素を含んでいる。すなわち、管理サーバ２は、ハードウェア構成要素として、演算装置（ＣＰＵ（Central Processing Unit））２１と、作業用メモリとしての主記憶装置（ＲＡＭ（Random Access Memory））２２とを備える。
【００３７】
管理サーバ２は、ＯＳ（Operating System）、管理プログラム（アプリケーションプログラム）、及び各種情報（データを含む）を書換え可能に格納するＨＤＤやＳＳＤ、フラッシュメモリ等の補助記憶装置２３と、通信制御部２４と、ＮＩＣ（Network Interface Card）などの通信インタフェース（ＩＦ）部２５などとを、更に備える。
【００３８】
管理サーバ２は、後に詳述する機能構成要素として、投稿処理手段２０１、画像管理手段２０２、山タグ送信手段２０３、表示処理手段２０４、検索処理手段２０５、優先度管理手段２０６及び、データベースＤＢを備える。
【００３９】
管理サーバ２において上述した機能構成要素を論理的に実現するには、補助記憶装置２３に管理プログラムをアプリケーションプログラムとしてインストールしておく。そして、管理サーバ２においては、電源投入を契機に、演算装置（ＣＰＵ）２１がこの管理プログラムを主記憶装置（ＲＡＭ）２２に展開して実行する。
【００４０】
なお、本実施形態では、管理プログラム（管理サーバ２）が、表示処理手段２０４を用いて、地図等の表示処理を行い、受信した表示処理結果を端末装置３で表示する構成を示す。管理サーバ２の備えた機能構成の少なくとも一部は、山野活動支援アプリケーション（端末装置３）を展開、実行することにより、実現されてよい。
【００４１】
次に、図１及び関連図（図４〜図１０）を参照して、管理システム１における処理ついて更に詳述する。
【００４２】
データベースＤＢは、山タグについて対象名及び、対象位置を格納する手段と、少なくとも、山及び、要所の１又は複数を対象とした山タグを格納する手段と、少なくとも、撮影位置を示す位置情報（撮影位置）、撮影方向を示す方向情報及び、山タグを対応付けて画像データを格納する手段と、として機能する。
【００４３】
図４は、データベースＤＢへの山タグデータの格納方法の一例を示す図である。図４（ａ）は、データベースＤＢに格納された山タグデータの一例を示す図である。山タグは、少なくとも、対象について名称及び、対象の所在を示す位置情報（対象位置）を登録した情報である。ここで対象とは、山、要所、施設等、山野に関連した自然物、人工物、地点等の総称である。本実施形態における山タグデータは、山タグの識別番号（Mtag_id）、山タグの示す対象の名称（Mtag_name）、山タグの示す対象の緯度（対象位置）（Mtag_lat）、山タグの示す対象の経度（対象位置）（Mtag_lon）、当該緯度経度に基づく住所（Mtag_add）及び、山タグの示す対象が属する地域（Mtag_field）を含む。
【００４４】
図４（ｂ）、図４（ｃ）は、データベースＤＢに格納された山タグのカテゴリデータの一例を示す図である。山タグに対して、対象のカテゴリが対応付けられている。図４（ｂ）に示すように、カテゴリデータは、カテゴリデータの識別番号（cat_id）及び、カテゴリデータの名称（cat_name）含む。図４（ｃ）に示すように、このカテゴリデータが、山タグデータに対応付けられており、山タグをカテゴライズすることができる。
【００４５】
データベースＤＢに格納された山タグデータ、カテゴリデータ及び、それらの対応関係は、山タグ送信手段２０３によって端末装置３に送信される。端末装置３の山タグ格納手段１０１は、山タグ送信手段２０３より受け取ったこれらのデータを、端末装置３の山タグデータベースＭＤＢに格納する。
【００４６】
＜山タグに基づく拡張現実（ＡＲ：Augmented Reality）表示＞
図５は、登山中に端末装置３において、山タグを表示した場合の画面表示例である。図５（ａ）において、端末装置３の表示部１７には、イメージセンサを介して取得したカメラ映像が表示されている。ここで、カメラ映像中には、山タグデータベースＭＤＢ（データベースＤＢ）に山タグデータが格納された対象ＯＢが表示されている。また、表示する山タグのカテゴリを指定するための山タグ選択部Ｗ１が表示されている。
【００４７】
図６を用いて、山タグを対応付けた画像データの投稿処理について説明する。ステップＳ１１では、端末装置３のカメラ機能が起動され、端末装置３は、カメラ映像を表示する。ステップＳ１２では、端末装置３は、ＧＰＳアンテナで取得した端末装置３の位置情報と、地磁気センサで取得した端末装置３の向く方位情報と、を少なくとも取得する。本実施形態では、更に、端末装置３のジャイロセンサにて取得した端末装置３の傾きの情報等を、方位情報として取得する。
【００４８】
端末装置３は、拡張現実表示手段１０２を用いて、端末装置３の位置情報及び、方位情報に基づいて、拡張現実表示のために表示する山タグを山タグデータベースＭＤＢより決定する。拡張現実表示手段１０２は、少なくとも、端末装置３の位置情報及び方位情報に基づいて、対応する１又は複数の山タグ、即ち、ステップＳ１１において、カメラ映像中に含まれるであろう対象ＯＢについての山タグを決定し（ステップＳ１３）、決定した１又は複数の山タグを表示処理する（ステップＳ１４）。ここで、山タグ選択部Ｗ１により表示する山タグが限定されている場合は、ステップＳ１３における山タグの検索リクエストを、カテゴリを絞って行ってもよい。
【００４９】
山タグの決定に際して、端末装置３の位置情報として、撮影地点の高度（標高）の情報を用いて、拡張現実表示する山タグを決定してもよい。例えば、撮影位置から見て手前の標高の高い山に、後ろの標高の低い山が隠れてしまい、カメラ映像中で確認できない場合等がある。撮影地点の高度を用いて山タグを決定することで、山タグの表示をより自然なものとして、ユーザ体験を向上させることができる。
【００５０】
山タグの表示処理とは、山タグデータベースＭＤＢより取得した山タグの名称や、山タグの所在に応じて、カメラ映像中における山タグの表示内容や表示位置（座標ＣＯ）等を決定する処理である。ステップＳ１５では、表示処理された山タグに基づいて、端末装置３において拡張現実（ＡＲ）表示が行われる。
【００５１】
山タグの表示処理に際して、端末装置３の位置情報として、撮影地点の高度（標高）の情報を用いて、山タグの表示内容や表示位置（座標ＣＯ）を決定してもよい。また、カメラ映像中に仮想現実表示可能な山タグの数量を定め、撮影位置や撮影方向に基づいて、撮影者や画像の中心に近い山タグを優先的に表示する等の条件により、表示する山タグを変更してよい。撮影地点や方向、高度を用いて山タグの表示内容や表示位置（座標ＣＯ）、表示数量を決定することで、山タグの表示をより自然なものとして、ユーザ体験を向上させることができる。
【００５２】
図５（ｂ）は、端末装置３において、カメラ映像に山タグを重ねて表示した際の画面表示例である。より具体的には、山タグ選択部Ｗ１において、「山」のカテゴリが付与された山タグを指定して表示させた場合の画面表示例である。端末装置３の表示部１７には、イメージセンサを介して取得したカメラ映像と共に、拡張現実表示手段１０２により表示処理された山タグに基づいて、「山」カテゴリが対応付けられた山タグＭＴが、表示位置（座標ＣＯ）に重ねて表示されている。
【００５３】
図示例では、カメラ映像中に含まれた３つの対象ＯＢ（「山」カテゴリ）について、３つの山タグＭＴ表示されている。このように、登山中の利用としては、カメラ映像中に含まれる対象の名称や位置を、山タグを決定して仮想現実表示することにより、確認することができる。また、カメラ映像中に含まれたほかのカテゴリの山タグ（図示例では、「日本百名山」カテゴリの山タグ及び、「山小屋」カテゴリの山タグ）についても、山タグ選択部Ｗ１において選択することで表示／非表示を切り替えることができる。
【００５４】
また、撮影位置から山タグの位置までの直線距離、水平距離、標高差等を用いて、カメラ映像中に仮想現実表示される山タグの数量を変更してよい。変更のための直線距離、水平距離、標高差等に関する境界値は、表示部１７において利用者によって設定可能であってもよい。
【００５５】
＜画像データの投稿処理＞
端末装置３の利用者は、図５（ａ）や図５（ｂ）において、表示部１７に表示されたカメラ映像を、画像データとして保存処理し、投稿手段１０３より、管理サーバ２に対して送信（投稿）することができる。ステップＳ１６において、端末装置３のカメラ機能を利用して、画像データを撮影する。本実施形態では、図示例における山タグ選択部Ｗ１や山タグＭＴは、画像データ中に描画されないが、画像データに、これらが一部又は全部を合成し、山タグ等が描画された画像データを保存する構成としてもよい。
【００５６】
そして、投稿手段１０３は、撮影した画像データに対して、撮影位置を示す位置情報、撮影方向を示す方向情報並びに、少なくともカメラ映像中に含まれた山タグを特定するための情報及びその画像中の表示位置（座標ＣＯ）を対応付けて、送信（投稿）する（ステップＳ１７）。管理サーバ２の投稿処理手段２０１は、位置情報、方向情報及び、山タグが対応付けられた画像データの投稿を受け付け、データベースＤＢに格納する（ステップＳ１８）。
【００５７】
ここで、画像データに対応付ける山タグの表示位置や、撮影位置、撮影方向の１又は複数について、拡張現実表示手段１０２によって修正を加えて投稿手段１０３に受け渡し、投稿を行う構成としてもよい。また、画像中に表示されていない山タグについても、画像データに対応付けて投稿してよい。画像中に表示されていない山タグとは、例えば、山タグ選択部Ｗ１において非表示とした山タグや、撮影方向には含まれるが、遠方のために拡張現実表示はしなかった山タグ等である。これらは、例えば、拡張現実表示手段１０２によるステップＳ１３の山タグデータの検索によって特定される。
【００５８】
ここで、投稿処理手段２０１は、少なくとも山タグが付与されていない画像データの投稿を、受け付ける構成としてもよい。例えば、投稿処理手段２０１が位置情報、方向情報及び、山タグが対応付けられていない画像データの投稿を受け付け、データベースＤＢに格納する場合、利用者は、画像管理についての処理要求を端末装置３より送信し、画像管理手段２０２を介して、画像データへの位置情報、方向情報及び、山タグの対応付けを行ってもよい。
【００５９】
例えば、デジタルカメラ等で撮影した画像データを、端末装置３（典型的には、デスクトップＰＣや、ラップトップＰＣ等）に取り込み、端末装置３の投稿手段１０３を介して投稿する場合などがある。画像管理手段２０２は、端末装置３からの処理要求に応じて、少なくとも山タグが付与されていない画像データに対して、対応付ける情報（山タグや位置情報、等）の指定を受け付け、データベースＤＢに格納する。ここで、画像管理手段２０２は、画像データのサイズ、利用者によって指定された山タグデータ及び、画像中における山タグの位置の１又は複数を用いて、方向情報を設定する構成としてもよい。
【００６０】
図７は、データベースＤＢへの画像データの格納方法の一例を示す図である。図７（ａ）に示すように、本実施形態において、画像データは、画像データの識別番号（pic_id）及び、画像データの保存場所（pic_path）を含み、画像データ撮影位置の緯度（pic_lat）、画像データ撮影位置の経度（対象位置）（pic_lon）、画像データ撮影位置の高度（pic_ele）、画像データの方位（方向情報）（pic_dir）、画像データ撮影時の端末装置３の傾斜角（方向情報）（pic_obl）、画像データ撮影時の端末装置３の回転角（方向情報）（pic_rol）、画像データの撮影日時（pic_ctime）、画像データを投稿した利用者識別番号（pic_userid）及び、撮影時期又は撮影季節に関する情報（本実施形態では、画像データの投稿日時（pic_ttime））、撮影時の気象情報（本実施形態では、天気（pic_weather）及び、気温（pic_temp））が対応付けられて格納される。本実施形態では、画像管理手段２０２は、図示しない気象情報提供サーバに対して、撮影日時と撮影位置（緯度及び、経度）を送信し、返送された気象情報（天気、気温）を、画像データに対応付けて格納している。例えば、画像データを投稿した利用者によって入力された気象情報を画像データに対応付けてもよいし、その他の方法で取得した気象情報を対応付けてもかまわない。また、気象情報として、天気、気温に代えて、又は加えて、雲量、雲高、日射量、気圧、湿度、降水量、風向、風速などが画像データに対応付けられてよい。
【００６１】
更に、図７（ｂ）に示すように、画像データ（pic_id）に対しては、図４（ａ）に示すような山タグデータ（Mtag_id）及び、山タグデータの画像中の表示位置を示す２次元座標（Mtag_co）が対応付けられ、画像データと、その画像中に描画された対象に係る山タグを紐づけて格納することができる。
【００６２】
＜画像データの表示処理＞
例えば、登山の計画中に、利用者は、端末装置３を介して、過去に投稿された画像データを表示し、山道中の各ポイントにおいてどのような風景を見ることができるのか、事前に閲覧することができる。
【００６３】
表示処理手段２０４は、山野活動支援画面に係る表示要求を受け取ると、山野活動支援画面に係る表示処理を行い、表示処理結果を送信する。表示処理手段２０４は、地図及び、地図上に配置された対象についてのオブジェクトを表示処理し、表示処理結果を送信する手段と、オブジェクトの指定を受け付ける手段と、として機能する。
【００６４】
本実施形態では、端末装置３での操作入力による表示処理要求が、管理サーバ２に対して送信され、管理サーバ２の表示処理手段２０４が表示処理結果を返送する。表示処理結果を受けとった端末装置３は、表示処理結果に基づいて山野活動支援画面を表示する。
【００６５】
図８〜図１０は、端末装置３において、山野活動支援画面を表示した際の画面表示例である。図８（ａ）に示すように、一実施形態における山野活動支援画面Ｗ２は、地図Ｗ２１、撮影位置を示す撮影位置オブジェクトＷ２２、対象についてのオブジェクトを示す対象オブジェクトＷ２３、サムネイル表示された画像データＷ２４及び、山タグアイコンＷ２５を備える。
【００６６】
地図Ｗ２１には、山道ＴＲが描画されている。図示例の山道ＴＲは、複数のポイント（本実施形態では、２つの地点と、０、１又は複数の節点）によって定義された直線の集合であり、例えば、図８（ｂ）に示すような地点データ並びに、山道データにより定義される。
【００６７】
図８（ｂ）では、地点Ａの地点データとして、地点Ａの識別番号（id）、名称（name）及び、緯度・経度・高度を示す座標（co）が少なくとも対応付けられている。同様に、地点Ｂも定義される。地点Ａ及び地点Ｂを端点とする山道（経路ＡＢ）の山道データは、山道ＡＢの識別番号（id）、名称（name）、始点となる地点（ここでは地点Ａ）の識別番号（str）、終点となる地点（ここでは地点Ｂ）の識別番号（stp）並びに、山道に含まれる０、１又は複数の節点について、緯度・経度・高度を示す座標（co）が少なくとも対応付けられている。なお、地点と節点は必ずしも区別される必要はなく、山道ＴＲの端点についても山道データ中で座標により指定してもよい。
【００６８】
検索処理手段２０５は、表示対象となる画像データを検索処理する。図８（ａ）に示す画面表示例では、端末装置３より表示処理要求された地図Ｗ２１で示される領域中で撮影された画像データが、画像データの撮影位置に基づいて検索処理される。検索処理された画像データが、山野活動支援画面Ｗ２において、画像データＷ２４Ａとしてサムネイル表示される。また、サムネイル表示された画像データＷ２４Ａのうち、山タグが対応付けられた画像データについては、山タグアイコンＷ２５が表示される。
【００６９】
ここで、本実施形態では、検索処理された画像データの一部又は全部が、山野活動支援画面Ｗ２において表示処理される。検索処理された画像データの一部を表示処理する場合、優先度管理手段２０６を介して、画像データに対してスコア等の優先度を算出し、この優先度に応じて表示対象となる一部の画像データを決定するように構成してよい。優先度管理手段２０６を用いて算出される画像データの優先度そのもの又は、優先度を決定するためのデータ（例えば、数値データや論理値データ等）の一部又は全部は、事前に算出されて画像データと対応付けられていてもよいし、検索処理の都度、算出される構成としてもよい。
【００７０】
画像データの優先度又は、優先度を決定するためのデータは、画像が新しいものか否かを示す撮影時期、検索処理時の季節や山野へ赴く季節と撮影された季節との一致度、登山予定日の気象予報と画像データに対応付けられた気象情報など、を用いて決定される。これらに代えて、又は加えて、画像データに対する利用者評価を用いて優先度等を決定する場合、画像データに対する利用者評価を入力するための評価手段が設けられてもよい。
【００７１】
また、検索処理手段２０５によって検索処理された画像データの一部又は全部について、表示処理手段２０４は、撮影位置に応じて、撮影位置オブジェクトＷ２２を表示処理する。本実施形態では、表示処理手段２０４は、画像データの撮影位置が、山道ＴＲに含まれた最寄のポイント（本実施形態における地点又は節点）に対応付けて表示処理される。
【００７２】
画像データが対応付けられたポイントは、その他のポイントと識別可能に表示される。本実施形態では、画像データが対応付けられたポイント（地点又は節点）は、撮影位置オブジェクトＷ２２として表示され、画像データが対応付けられていないポイントは、非表示となっている。ここで、山道ＴＲ中の画像データが対応付けられていないポイント（地点又は節点）についても表示する構成としてよいし、画像データの撮影位置の緯度経度そのものを、撮影位置オブジェクトＷ２２として、画面表示してもかまわない。
【００７３】
更に、地図Ｗ２１に重ねて、山タグが付与された対象の一部又は全部について、対象オブジェクトＷ２３が表示されている。本実施形態では、検索処理手段２０５は、対象オブジェクトＷ２３が指定されることで、特定の対象に関する山タグが対応付けられた画像データを検索処理する。
【００７４】
なお、検索処理手段２０５は、撮影位置オブジェクトＷ２２やサムネイル表示された画像データＷ２４Ａとして、表示対象となる画像データを検索処理する際に、地図Ｗ２１で示される領域中に含まれた対象オブジェクトＷ２３やポイント（本実施形態における地点又は設定）を検索処理し、検索処理された対象オブジェクトＷ２３に対応した対象に関する山タグデータが対応付けられた画像データや、検索処理されたポイントに対応付けられる画像データを、表示対象として決定してもよい。
【００７５】
図９（ａ）は、山野活動支援画面Ｗ２において、対象オブジェクトＷ２３Ａを選択した際の画面表示例である。対象オブジェクトＷ２３Ａが選択されると、検索処理手段２０５は、その対象オブジェクトＷ２３Ａによって特定される対象（本実施形態では、「Ａ山」）の山タグが対応付けられた画像データを検索処理する。そして、検索処理された画像データについて、表示処理手段２０４は、撮影位置オブジェクトＷ２２を表示するとともに、画像データＷ２４Ａのサムネイル表示を行う。更に、表示処理手段２０４は、それぞれの撮影位置オブジェクトＷ２２について、撮影方向に基づく撮影方向オブジェクトＷ２６を表示処理する。
【００７６】
サムネイル表示された画像データＷ２４Ａを選択すると、表示処理手段２０４は、選択された画像データを拡大表示するための表示処理を行う。図９（ｂ）は、画像データＷ２４Ｂを拡大表示した際の画面表示例である。拡大表示された画像データＷ２４Ｂには、選択された対象オブジェクトＷ２３Ａの示す対象について、山タグＭＴが重ねて表示される。
【００７７】
更に、検索処理手段２０５は、指定された登山経路に対応する撮影位置を有した画像データを検索処理する。図１０は、登山経路ＭＯＵを指定した際の画面表示例である。登山経路ＭＯＵが指定されると、表示処理手段２０４によって、山道ＴＲと登山経路ＭＯＵが識別可能に表示される。検索処理手段２０５は、登山経路ＭＯＵ上のポイント（地点又は節点）に対応付けられた撮影位置の画像データを検索処理する。そして、表示処理手段２０４は、検索された撮影位置を有した画像データを表示処理し、表示処理結果を送信する。
【００７８】
これにより、登山経路ＭＯＵにおいて撮影された画像データについての撮影位置オブジェクトＷ２２が表示されるとともに、登山経路ＭＯＵにおいて撮影された画像データＷ２４Ａがサムネイル表示される。また、この登山経路と、登山の日程や登山者名などを対応付けて、登山届データを作成し、管理サーバ２に対して記録する構成としてもよい。
【符号の説明】
【００７９】
１  管理システム
１１  演算装置
１２  主記憶装置
１３  補助記憶装置
１４  通信制御部
１５  通信インタフェース部
１６  表示制御部
１７  表示部
１８  情報入力・指定部
１９  センサ部
２  管理サーバ
２１  ＣＰＵ
２２  主記憶装置
２３  補助記憶装置
２４  通信制御部
２５  通信インタフェース部
２０１  投稿処理手段
２０２  画像管理手段
２０３  山タグ送信手段
２０４  表示処理手段
２０５  検索処理手段
２０６  優先度管理手段
ＤＢ  データベース
３  端末装置
４  通信ネットワーク
ＯＢ  対象
ＭＴ  山タグ
ＴＲ  山道
ＭＯＵ  登山経路
【図１】
2020144705.tif 000003
【図２】
2020144705.tif 000004
【図３】
2020144705.tif 000005
【図４】
2020144705.tif 000006
【図５】
2020144705.tif 000007
【図６】
2020144705.tif 000008
【図７】
2020144705.tif 000009
【図８】
2020144705.tif 000010
【図９】
2020144705.tif 000011
【図１０】
2020144705.tif 000012
【手続補正書】
【提出日】令和1年10月25日(2019.10.25)
【手続補正１】
【補正対象書類名】特許請求の範囲
【補正対象項目名】全文
【補正方法】変更
【補正の内容】
【特許請求の範囲】
【請求項１】
画像中に含まれる対象について山タグを付与した画像データを管理するための管理システムであって、
少なくとも、山及び、要所の１又は複数を対象とした山タグを格納する手段と、
少なくとも、撮影位置を示す位置情報、方向を示す方向情報及び、前記山タグを対応付けて画像データを格納する手段と、
地図及び、前記地図上に前記対象の位置に対応して配置された前記対象についての対象オブジェクトを表示処理し、表示処理結果を送信する手段と、
前記地図を介して前記対象オブジェクトが選択されることによって、選択された前記対象オブジェクトに対応した山タグの指定を受け付ける手段と、
指定された前記山タグが対応付けられた画像データを検索処理する手段と、を備え、
前記表示処理は、前記検索処理された複数の前記画像データの撮影位置に応じて、撮影位置オブジェクトを前記地図上で表示するための処理及び、それぞれの前記撮影位置オブジェクトについて、前記画像データを撮影した方向を表示するための処理を更に含む管理システム。
【請求項２】
前記表示処理は、前記対象オブジェクトが選択されることで検索処理された複数の画像データを、前記地図と並べてサムネイル表示するための処理を更に含む請求項１に記載の管理システム。
【請求項３】
前記表示処理は、前記サムネイル表示された複数の画像データのうち、何れかが選択されることで、前記画像データを拡大表示すると共に、拡大表示された前記画像データに、選択された前記対象オブジェクトが示す対象についての山タグ画像を、重ねて表示するための処理を更に含む請求項２に記載の管理システム。
【請求項４】
前記画像データは、前記画像データが撮影された季節を示す情報が対応付けられ、
前記表示処理に用いられる前記画像データの優先度は、少なくとも、前記検索処理時又は山野へ赴く予定の季節と、前記画像データに対応付けられた季節を示す情報を用いて決定される請求項１〜３の何れかに記載の管理システム。
【請求項５】
画像中に含まれる対象について山タグを付与した画像データを管理するための管理方法であって、
少なくとも、山及び、要所の１又は複数を対象とした山タグを格納するステップと、
少なくとも、撮影位置を示す位置情報、方向を示す方向情報及び、前記山タグを対応付けて画像データを格納するステップと、
地図及び、前記地図上に前記対象の位置に対応して配置された前記対象についての対象オブジェクトを表示処理し、表示処理結果を送信するステップと、
前記地図を介して前記対象オブジェクトが選択されることによって、選択された前記対象オブジェクトに対応した山タグの指定を受け付けるステップと、
指定された前記山タグが対応付けられた画像データを検索処理するステップと、をコンピュータの処理部が実行し、
前記表示処理は、前記検索処理された複数の前記画像データの撮影位置を、撮影位置オブジェクトとして、前記地図上で表示するための処理及び、それぞれの前記撮影位置オブジェクトについて、前記画像データを撮影した方向を表示するための処理を更に含む管理方法。